(57)【要約】【課題】  使用者の好みや体調等に応じて洗浄水の噴出形態を選択することが可能でかつ人体の局部の広範囲を十分に洗浄することができる衛生洗浄装置を提供する。【解決手段】  おしりノズル１が前方位置から後方位置に向かって移動を開始するとともに、噴出孔２５から分散旋回流が噴出される。その後、分散旋回流の広がり角度が徐々に小さくなり直線流が噴出される。さらに、直線流から分散旋回流の広がり角度が徐々に大きくなる。おしりノズル１が後方位置に移動するまでの間、分散旋回流と直線流とが交互に切り替わる。また、おしりノズル１が後方位置に移動した後、おしりノズル１は、折り返し前方位置に移動し始める。この場合においても、おしりノズル１が前方位置に移動するまでの間、分散旋回流と直線流とが交互に切り替わる。【選択図】        図１４
2005042429.tif 000002
【特許請求の範囲】
【請求項１】
給水源から供給される洗浄水を人体に噴出する衛生洗浄装置であって、
前記給水源から供給される洗浄水を噴出する噴出孔を有するノズル装置と、
前記ノズル装置の前記噴出孔から噴出される洗浄水の広がり角度を変化させる広がり角度調整手段と、
前記ノズル装置を前方位置と後方位置との間で進退移動させる進退駆動手段と、
前記進退駆動手段による前記ノズル装置の進退移動と前記ノズル装置の前記噴出孔からの洗浄水の広がり角度の変化とを組み合わせるように前記進退駆動手段および前記広がり角度調整手段を制御する制御手段とを備えたことを特徴とする衛生洗浄装置。
【請求項２】
前記制御手段は、
前記ノズル装置が前記前方位置と前記後方位置との間で進退移動を反復しつつ前記ノズル装置の前記噴出孔からの洗浄水の広がり角度が変化するように前記進退駆動手段および前記広がり角度調整手段を制御することを特徴とする請求項１記載の衛生洗浄装置。
【請求項３】
前記制御手段は、
前記ノズル装置が前記前方位置と前記後方位置との間で進退移動を反復しつつ前記ノズル装置の前記噴出孔からの洗浄水が分散流と直線流とに交互に切り替えられるように前記進退駆動手段および前記広がり角度調整手段を制御することを特徴とする請求項１または２記載の衛生洗浄装置。
【請求項４】
前記制御手段は、
前記ノズル装置が前記前方位置から前記後方位置または前記後方位置から前記前方位置まで移動しつつ前記ノズル装置の前記噴出孔からの洗浄水の広がり角度が変化するように前記進退駆動手段および前記広がり角度調整手段を制御することを特徴とする請求項１〜３のいずれかに記載の衛生洗浄装置。
【請求項５】
前記制御手段は、
前記ノズル装置が前記前方位置から前記後方位置または前記後方位置から前記前方位置まで移動しつつ前記ノズル装置の前記噴出孔からの洗浄水が直線流と分散流とに切り替えられるように前記進退駆動手段および前記広がり角度調整手段を制御することを特徴とする請求項１〜４のいずれかに記載の衛生洗浄装置。
【請求項６】
前記制御手段は、
前記ノズル装置を前記前方位置または前記後方位置で所定時間停止した状態で前記ノズル装置の前記噴出孔からの洗浄水の広がり角度が変化するように前記進退駆動手段および前記広がり角度調整手段を制御することを特徴とする請求項１〜５のいずれかに記載の衛生洗浄装置。
【請求項７】
前記制御手段は、
前記ノズル装置が前記前方位置または前記後方位置で停止した状態で前記ノズル装置の前記噴出孔からの洗浄水が分散流と直線流とに交互に切り替えられるように前記進退駆動手段および前記広がり角度調整手段を制御することを特徴とする請求項１〜６のいずれかに記載の衛生洗浄装置。
【請求項８】
前記進退駆動手段による前記ノズル装置の進退移動と前記ノズル装置の前記噴出孔からの洗浄水の広がり角度の変化との組み合わせを設定する設定手段をさらに備えたことを特徴とする請求項１〜７のいずれかに記載の衛生洗浄装置。
【請求項９】
前記ノズル装置は、
前記給水源からの洗浄水を前記噴出孔に導く第１の流路と、
前記給水源からの洗浄水を前記噴出孔に導く第２の流路と、
前記第１の流路の洗浄水に回転流を生成する回転流生成手段とを含み、
前記広がり角度調整手段は、前記第１の流路および前記第２の流路に供給される洗浄水の流量を調整する流量調整手段を含むことを特徴とする請求項１〜８のいずれかに記載の衛生洗浄装置。
【請求項１０】
前記回転流生成手段は、円筒形状室を有し、
前記第１の流路の洗浄水は、前記円筒形状室の内周面に沿って供給されることを特徴とする請求項９記載の衛生洗浄装置。
【請求項１１】
前記給水源から供給される洗浄水に周期的な圧力変動を与えつつ洗浄水を加圧して前記ノズル装置に供給する加圧手段をさらに備えたことを特徴とする請求項１〜１０のいずれかに記載の衛生洗浄装置。
【請求項１２】
前記給水源から供給された洗浄水を加熱して前記加圧手段に供給する加熱手段をさらに備えたことを特徴とする請求項１〜１１のいずれかに記載の衛生洗浄装置。
【請求項１３】
前記加熱手段は、給水源から供給された洗浄水を流動させつつ加熱する瞬間式加熱装置であることを特徴とする請求項１２記載の衛生洗浄装置。
【発明の詳細な説明】
【技術分野】
【０００１】
本発明は、人体の局部を洗浄する衛生洗浄装置に関する。
【背景技術】
【０００２】
人体の局部を洗浄する衛生洗浄装置は、人体の局部に向けて洗浄水を噴出することにより人体の局部を清潔にできることから急速に普及している。
【０００３】
使用者の性別、年齢、個人差または体調等によって快適な洗浄水の噴出形態が異なる。そのため、近年においては、ノズルから単に洗浄水を噴出するだけでなく、洗浄水の噴出形態の多様化が図られている。
【０００４】
例えば、洗浄水渦室において洗浄水に旋回力を付与することにより、ノズルから螺旋状（コーン状）の洗浄水を人体の局部に噴出する衛生洗浄装置が提案されている（例えば、特許文献１参照）。
【特許文献１】特許第３２９２１８５号公報
【発明の開示】
【発明が解決しようとする課題】
【０００５】
しかしながら、ノズルからコーン状に噴出された洗浄水の中央部は、外周部付近に比べ洗浄水の密度が低くなっている。そのため、人体の局部の一部分が十分に洗浄されていない可能性がある。
【０００６】
本発明の目的は、使用者の好みや体調等に応じて洗浄水の噴出形態を選択することが可能でかつ人体の局部の広範囲を十分に洗浄することができる衛生洗浄装置を提供することである。
【課題を解決するための手段】
【０００７】
従来の課題を解決するために、本発明の衛生洗浄装置は、給水源から供給される洗浄水を人体に噴出する衛生洗浄装置であって、給水源から供給される洗浄水を噴出する噴出孔を有するノズル装置と、ノズル装置の噴出孔から噴出される洗浄水の広がり角度を変化させる広がり角度調整手段と、ノズル装置を前方位置と後方位置との間で進退移動させる進退駆動手段と、進退駆動手段によるノズル装置の進退移動とノズル装置の噴出孔からの洗浄水の広がり角度の変化とを組み合わせるように進退駆動手段および広がり角度調整手段を制御する制御手段とを備えたものである。
【０００８】
本発明に係る衛生洗浄装置においては、広がり角度調整手段によりノズル装置の噴出孔から噴出される洗浄水の広がり角度が変化する。それにより、集中的な洗浄範囲を有する直線流と広範囲な洗浄範囲を有する分散流とが生成される。また、進退駆動手段によりノズル装置が前方位置と後方位置との間で進退移動する。さらに、制御手段により進退駆動手段によるノズル装置の進退移動と、ノズル装置の噴出孔から噴出される洗浄水の広がり角度の変化との組み合わせが制御される。
【発明の効果】
【０００９】
本発明に係る衛生洗浄装置によれば、使用者は、使用者の好みや体調等に応じて進退駆動手段によるノズル装置の進退移動と、ノズル装置の噴出孔から噴出される洗浄水の広がり角度の変化との組み合わせを選択することができる。それにより、使用者にとって適切な洗浄を行うことができる。
【００１０】
また、進退駆動手段によるノズル装置の進退移動と、ノズル装置の噴出孔から噴出される洗浄水の広がり角度の変化とが組み合わされて人体の局部が洗浄されることにより、人体の局部の広範囲を十分に洗浄することができる。
【発明を実施するための最良の形態】
【００１１】
請求項１に記載の発明は、給水源から供給される洗浄水を人体に噴出する衛生洗浄装置であって、給水源から供給される洗浄水を噴出する噴出孔を有するノズル装置と、ノズル装置の噴出孔から噴出される洗浄水の広がり角度を変化させる広がり角度調整手段と、ノズル装置を前方位置と後方位置との間で進退移動させる進退駆動手段と、進退駆動手段によるノズル装置の進退移動とノズル装置の噴出孔からの洗浄水の広がり角度の変化とを組み合わせるように進退駆動手段および広がり角度調整手段を制御する制御手段とを備えたものである。
【００１２】
本発明に係る衛生洗浄装置においては、広がり角度調整手段によりノズル装置の噴出孔から噴出される洗浄水の広がり角度が変化する。それにより、集中的な洗浄範囲を有する直線流と広範囲な洗浄範囲を有する分散流とが生成される。また、進退駆動手段によりノズル装置が前方位置と後方位置との間で進退移動する。さらに、制御手段により進退駆動手段によるノズル装置の進退移動と、ノズル装置の噴出孔から噴出される洗浄水の広がり角度の変化との組み合わせが制御される。それにより、使用者は、使用者の好みや体調等に応じて進退駆動手段によるノズル装置の進退移動と、ノズル装置の噴出孔から噴出される洗浄水の広がり角度の変化との組み合わせを選択することができる。これにより、使用者にとって適切な洗浄を行うことができる。
【００１３】
また、進退駆動手段によるノズル装置の進退移動と、ノズル装置の噴出孔から噴出される洗浄水の広がり角度の変化とが組み合わされて人体の局部が洗浄されることにより、人体の局部の広範囲を十分に洗浄することができる。
【００１４】
請求項２に記載の発明は、請求項１に記載の衛生洗浄装置の構成において、制御手段は、ノズル装置が前方位置と後方位置との間で進退移動を反復しつつノズル装置の噴出孔からの洗浄水の広がり角度が変化するように進退駆動手段および広がり角度調整手段を制御するものである。
【００１５】
この場合、洗浄水の密度が低い洗浄範囲の中央部にも直線流により洗浄水の密度が高い範囲が形成される。これにより、人体の局部の広範囲を十分に洗浄することができる。また、水勢を有する直線流により人体の局部周辺に飛散した洗浄水を分散流によって洗い流すことができる。これにより、人体の局部がより清潔に保たれる。
【００１６】
請求項３に記載の発明は、請求項１または２記載の衛生洗浄装置の構成において、制御手段は、ノズル装置が前方位置と後方位置との間で進退移動を反復しつつノズル装置の噴出孔からの洗浄水が分散流と直線流とに交互に切り替えられるように進退駆動手段および広がり角度調整手段を制御するものである。
【００１７】
この場合、この場合、洗浄水の密度が低い洗浄範囲の中央部にも直線流により洗浄水の密度が高い範囲が形成される。これにより、人体の局部の広範囲を十分に洗浄することができる。また、水勢を有する直線流により人体の局部周辺に飛散した洗浄水を分散流によって洗い流すことができる。これにより、人体の局部がより清潔に保たれる。
【００１８】
請求項４に記載の発明は、請求項１〜３のいずれかに記載の衛生洗浄装置の構成において、制御手段は、ノズル装置が前方位置から後方位置または後方位置から前方位置まで移動しつつノズル装置の噴出孔からの洗浄水の広がり角度が変化するように進退駆動手段および広がり角度調整手段を制御するものである。
【００１９】
この場合、洗浄水の密度が低い洗浄範囲の中央部にも直線流により洗浄水の密度が高い範囲が形成される。これにより、人体の局部の広範囲を十分に洗浄することができる。また、水勢を有する直線流により人体の局部周辺に飛散した洗浄水を分散流によって洗い流すことができる。これにより、人体の局部がより清潔に保たれる。
【００２０】
請求項５に記載の発明は、請求項１〜４のいずれかに記載の衛生洗浄装置の構成において、制御手段は、ノズル装置が前方位置から後方位置または後方位置から前方位置まで移動しつつノズル装置の噴出孔からの洗浄水が直線流と分散流とに切り替えられるように進退駆動手段および広がり角度調整手段を制御するものである。
【００２１】
この場合、洗浄水の密度が低い洗浄範囲の中央部にも直線流により洗浄水の密度が高い範囲が形成される。これにより、人体の局部の広範囲を十分に洗浄することができる。また、水勢を有する直線流により人体の局部周辺に飛散した洗浄水を分散流によって洗い流すことができる。これにより、人体の局部がより清潔に保たれる。
【００２２】
請求項６に記載の発明は、請求項１〜５のいずれかに記載の衛生洗浄装置の構成において、制御手段は、ノズル装置を前方位置または後方位置で所定時間停止した状態でノズル装置の噴出孔からの洗浄水の広がり角度が変化するように進退駆動手段および広がり角度調整手段を制御するものである。
【００２３】
この場合、洗浄水の密度が低い洗浄範囲の中央部にも直線流により洗浄水の密度が高い範囲が形成される。これにより、人体の局部の広範囲を十分に洗浄することができる。また、水勢を有する直線流により人体の局部周辺に飛散した洗浄水を分散流によって洗い流すことができる。これにより、人体の局部がより清潔に保たれる。
【００２４】
請求項７に記載の発明は、請求項１〜６のいずれかに記載の衛生洗浄装置の構成において、制御手段は、ノズル装置が前方位置または後方位置で停止した状態でノズル装置の噴出孔からの洗浄水が分散流と直線流とに交互に切り替えられるように進退駆動手段および広がり角度調整手段を制御するものである。
【００２５】
この場合、洗浄水の密度が低い洗浄範囲の中央部にも直線流により洗浄水の密度が高い範囲が形成される。これにより、人体の局部の広範囲を十分に洗浄することができる。また、水勢を有する直線流により人体の局部周辺に飛散した洗浄水を分散流によって洗い流すことができる。これにより、人体の局部がより清潔に保たれる。
【００２６】
請求項８に記載の発明は、請求項１〜７のいずれかに記載の衛生洗浄装置の構成において、進退駆動手段によるノズル装置の進退移動とノズル装置の噴出孔からの洗浄水の広がり角度の変化との組み合わせを設定する設定手段をさらに備えたものである。
【００２７】
この場合、使用者が設定手段により使用者の好みや体調に適切な洗浄方法を設定することができる。
【００２８】
請求項９に記載の発明は、請求項１〜８のいずれかに記載の衛生洗浄装置の構成において、ノズル装置は、給水源からの洗浄水を噴出孔に導く第１の流路と、給水源からの洗浄水を噴出孔に導く第２の流路と、第１の流路の洗浄水に回転流を生成する回転流生成手段とを含み、広がり角度調整手段は、第１の流路および第２の流路に供給される洗浄水の流量を調整する流量調整手段を含むものである。
【００２９】
この場合、ノズル装置の第１の流路および第２の流路を介して噴出孔より洗浄水を噴出させることができる。また、第１の流路と第２の流路とが別個に形成されるため、第１の流路および第２の流路を流れる洗浄水の流量をそれぞれ独立に変化させることができる。さらに、第１の流路において洗浄水の回転流を生成することができるため、噴出孔より分散流を噴出させることができる。
【００３０】
したがって、第１の流路および第２の流路を流れる洗浄水の流量を調整することにより使用者の体調や好みに応じて直線流および分散流のいずれか一方、または直線流と分散流との混合流を噴出させることができる。それにより、洗浄水の広がり角度および洗浄面積を変化させることができる。
【００３１】
請求項１０に記載の発明は、請求項９に記載の衛生洗浄装置の構成において、回転流生成手段は、円筒形状室を有し、第１の流路の洗浄水は、円筒形状室の内周面に沿って供給されるものである。
【００３２】
この場合、第１の流路から導かれる洗浄水が円筒形状室の内周面に沿って供給されるので、円筒形状室内で遠心力による渦状態の流れを効率よく生成することができる。渦状態の流れを維持した洗浄水が噴出孔から噴出されることにより、噴出孔からの分散流が被洗浄面に対して広範囲に噴出される。
【００３３】
請求項１１に記載の発明は、請求項１〜１０のいずれかに記載の衛生洗浄装置の構成において、給水源から供給される洗浄水に周期的な圧力変動を与えつつ洗浄水を加圧してノズル装置に供給する加圧手段をさらに備えたものである。
【００３４】
この場合、給水源から供給される洗浄水が加圧手段により周期的な圧力変動を与えられつつ加圧される。したがって、少ない流量でも洗浄刺激効果が高くなる。
【００３５】
請求項１２に記載の発明は、請求項１〜１１のいずれかに記載の衛生洗浄装置の構成において、給水源から供給された洗浄水を加熱して加圧手段に供給する加熱手段をさらに備えたものである。
【００３６】
この場合、給水源から供給された洗浄水を加熱手段により加熱して加圧手段に供給することができるため、ノズル装置の噴出孔より適度に加熱された洗浄水を噴出させることができる。
【００３７】
請求項１３に記載の発明は、請求項１２に記載の衛生洗浄装置の構成において、加熱手段は、給水源から供給された洗浄水を流動させつつ加熱する瞬間式加熱装置である。
【００３８】
この場合、瞬間式加熱装置により洗浄水が流動されつつ加熱される。したがって、衛生洗浄装置の使用時にのみ洗浄水の加熱を行うため、消費電力を最小限に抑えることができ、さらに、洗浄水を貯える貯水タンク等が不必要となるため省スペース化が実現できる。また、洗浄時間が長くなった場合でも、洗浄水の温度の低下が生じない。
【実施例１】
【００３９】
以下、本発明の実施例について、図面を参照しながら説明する。
【００４０】
図１は本実施例に係る衛生洗浄装置を便器に装着した状態を示す斜視図である。
【００４１】
図１に示すように、便器６００上に衛生洗浄装置１００が装着される。タンク７００は、水道配管に接続されており、便器６００内に洗浄水を供給する。
【００４２】
衛生洗浄装置１００は、本体部２００、遠隔操作装置３００、便座部４００および蓋部５００により構成される。
【００４３】
本体部２００には、便座部４００および蓋部５００が開閉自在に取り付けられる。さらに、本体部２００には、ノズル部３０を含む洗浄水供給機構が設けられるとともに、制御部が内蔵されている。本体部２００の制御部は、後述するように遠隔操作装置３００により送信される信号に基いて、洗浄水供給機構を制御する。さらに、本体部２００の制御部は、便座部４００に内蔵されたヒータ、本体部２００に設けられた脱臭装置（図示せず）および温風供給装置（図示せず）等の制御も行う。
【００４４】
図２は図１の遠隔操作装置３００の一例を示す模式図である。
【００４５】
図２に示すように、遠隔操作装置３００は、複数のＬＥＤ（発光ダイオード）３０１ａ，３０１ｂ，３０１ｃ、複数の調整スイッチ３０２、おしりスイッチ３０３、マッサージスイッチ３０４、噴出停止スイッチ３０５、ビデスイッチ３０６、乾燥スイッチ３０７、脱臭スイッチ３０８、パワースイッチ３０９、モードスイッチ３１０〜３１３およびノズル停止スイッチ３１４を備える。
【００４６】
使用者により調整スイッチ３０２、おしりスイッチ３０３、マッサージスイッチ３０４、噴出停止スイッチ３０５、ビデスイッチ３０６、乾燥スイッチ３０７、脱臭スイッチ３０８、パワースイッチ３０９、モードスイッチ３１０〜３１３およびノズル停止スイッチ３１４が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００４７】
例えば、モードスイッチ３１０〜３１３は、使用者がモードスイッチ３１０〜３１３のいずれかを押下操作すると、ノズル部３０が移動しながら所定の噴出形態で洗浄水がノズル部３０から噴出される。また、使用者によりノズル停止スイッチ３１４が押下操作されると、ノズル部３０の移動が停止する。なお、モードスイッチ３１０〜３１３がそれぞれ押下操作されたときの洗浄水の噴出形態については後述する。
【００４８】
また、使用者が、おしりスイッチ３０３またはビデスイッチ３０６を押下操作することにより図１の本体部２００のノズル部３０が移動して洗浄水が噴出する。マッサージスイッチ３０４を押下操作することにより図１の本体部２００のノズル部３０から人体の局部に刺激を与える洗浄水が噴出される。パワースイッチ３０９を押下操作することによりノズル部３０から多量の洗浄水が噴出される。噴出停止スイッチ３０５を押下操作することによりノズル部３０からの洗浄水の噴出が停止する。
【００４９】
また、乾燥スイッチ３０７を押下操作することにより人体の局部に対して衛生洗浄装置１００の温風供給装置（図示せず）より温風が噴出される。脱臭スイッチ３０８を押下操作することにより衛生洗浄装置１００の脱臭装置（図示せず）により周辺の脱臭が行われる。
【００５０】
調整スイッチ３０２は、水勢強調整スイッチ３０２ａ、水勢弱調整スイッチ３０２ｂ、温度低調整スイッチ３０２ｃ、温度高調整スイッチ３０２ｄ、噴出形態集中調整スイッチ３０２ｅ、噴出形態分散調整スイッチ３０２ｆおよび噴出形態方向調整スイッチ３０２ｇを含む。
【００５１】
使用者が、噴出形態集中調整スイッチ３０２ｅおよび噴出形態分散調整スイッチ３０２ｆを押下操作することにより図１の衛生洗浄装置１００の本体部２００のノズル部３０より噴出される洗浄水の噴出形態が変化し、噴出形態方向調整スイッチ３０２ｇを押下操作することによりノズル部３０より噴出される洗浄水の旋回方向が変化し、温度低調整スイッチ３０２ｃおよび温度高調整スイッチ３０２ｄを押下操作することにより、ノズル部３０より噴出される洗浄水の温度が変化する。また、水勢強調整スイッチ３０２ａおよび水勢弱調整スイッチ３０２ｂを押下操作することにより、ノズル部３０より噴出される洗浄水の水勢（圧力）が変化する。なお、噴出形態集中調整スイッチ３０２ｅおよび噴出形態分散調整スイッチ３０２ｆを押下操作することによる洗浄水の噴出形態の変化については後述する。
【００５２】
また、水勢強調整スイッチ３０２ａの押下に伴って複数のＬＥＤ（発光ダイオード）３０１ａが点灯し、水勢弱調整スイッチ３０２ｂの押下に伴って複数のＬＥＤ（発光ダイオード）３０１ａが消灯する。温度高調整スイッチ３０２ｄの押下に伴って複数のＬＥＤ（発光ダイオード）３０１ｃが点灯し、温度低調整スイッチ３０２ｃの押下に伴って複数のＬＥＤ（発光ダイオード）３０１ｃが消灯する。噴出形態分散調整スイッチ３０２ｆの押下に伴って複数のＬＥＤ（発光ダイオード）３０１ｂが点灯し、噴出形態集中調整スイッチ３０２ｅの押下に伴って複数のＬＥＤ（発光ダイオード）３０１ｂが消灯する。
【００５３】
以下、本実施例に係る衛生洗浄装置１００の本体部２００について説明を行う。図３は本実施例に係る衛生洗浄装置１００の本体部２００の構成を示す模式図である。
【００５４】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ、ポンプ１３、切替弁１４およびノズル部３０を含む。また、ノズル部３０は、おしりノズル１、ビデノズル２、ノズル洗浄用ノズル３、進退用モータ１５および保持台２９１を含む。
【００５５】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂおよびポンプ１３が介挿されている。
【００５６】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００５７】
また、ポンプ１３と切替弁１４との間にはリリーフ管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００５８】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００５９】
続いて、熱交換器１１は、制御部４により与えられる制御信号に基いて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００６０】
ポンプ１３は、熱交換器１１により加熱された洗浄水を制御部４により与えられる制御信号に基いて、切替弁１４に圧送する。切替弁１４は、制御部４により与えられる制御信号に基いて、ノズル部３０のおしりノズル１、ビデノズル２およびノズル洗浄用ノズル３のいずれか１つに洗浄水を供給する。それにより、おしりノズル１、ビデノズル２およびノズル洗浄用ノズル３のいずれか１つより洗浄水が噴出される。また、切替弁１４は、制御部４により与えられる制御信号に基いて、ノズル部３０より噴出される洗浄水の流量を調整する。それにより、ノズル部３０より噴出される洗浄水の流量が変化する。
【００６１】
制御部４は、図１の遠隔操作装置３００から無線送信される信号、流量センサ１０から与えられる測定流量値および温度センサ１２ａ，１２ｂから与えられる温度測定値に基き止水電磁弁９、熱交換器１１、ポンプ１３、切替弁１４および進退用モータ１５に対して制御信号を与える。
【００６２】
制御部４から進退用モータ１５に対して制御信号が与えられることにより、進退用モータ１５が回転し、保持台２９１に保持されたおしりノズル１およびビデノズル２の進退動作を行う。
【００６３】
図４は熱交換器１１の構造の一例を示す一部切り欠き断面図である。
【００６４】
図４に示すように、樹脂ケース５０４内に曲折された蛇行配管５１０が埋設されている。蛇行配管５１０に接触するように平板状のセラミックヒータ５０５が設けられている。矢印Ｙで示すように、洗浄水が、給水口５１１から蛇行配管５１０内に供給され、蛇行配管５１０中を流れる間に、セラミックヒータ５０５により効率よく加熱され、排出口５１２から排出される。
【００６５】
図３の制御部４は、温度センサ１２ｂより与えられる温度測定値に基いて、熱交換器１１のセラミックヒータ５０５の温度をフィードバック制御する。
【００６６】
本実施例においては、制御部４がフィードバック制御により熱交換器１１のセラミックヒータ５０５の温度を制御することとしたが、これに限定されず、フィードフォワード制御によりセラミックヒータ５０５の温度を制御してもよく、あるいは、温度上昇時には、フィードフォワード制御によりセラミックヒータ５０５を制御し、定常時には、フィードバック制御によりセラミックヒータ５０５を制御する複合的な制御を行ってもよい。
【００６７】
図５はポンプ１３の構造の一例を示す断面図である。図５のポンプは複動型レシプロポンプである。
【００６８】
図５において、本体部１３８内には、円柱状空間１３９が形成されている。円柱状空間１３９内には圧送ピストン１３６が設けられている。圧送ピストン１３６の外周部には、Ｘ字パッキン１３６ａが装着されている。圧送ピストン１３６により円柱状空間１３９がポンプ室１３９ａとポンプ室１３９ｂとに分割される。
【００６９】
本体部１３８の一側部には洗浄水入口ＰＩが設けられ、他側部には洗浄水出口ＰＯが設けられている。洗浄水入口ＰＩには図３の配管２０３を介して熱交換器１１が接続され、洗浄水出口ＰＯには配管２０３を介して切替弁１４が接続される。
【００７０】
洗浄水入口ＰＩは、内部流路Ｐ１、小室Ｓ１および小室Ｓ３を介してポンプ室１３９ａに連通するとともに、内部流路Ｐ２、小室Ｓ２および小室Ｓ４を介してポンプ室１３９ｂに連通している。
【００７１】
ポンプ室１３９ａは、小室Ｓ５、小室Ｓ７および内部流路Ｐ３を介して洗浄水出口ＰＯに連通している。円柱状空間１３９ｂは、小室Ｓ６、小室Ｓ８および内部流路Ｐ４を介して洗浄水出口ＰＯに連通している。
【００７２】
小室Ｓ３、小室Ｓ４、小室Ｓ７および小室Ｓ８には、それぞれアンブレラパッキン１３７が設けられている。
【００７３】
モータ１３０の回転軸にギア１３１が取り付けられ、ギア１３１にギア１３２が噛合っている。また、ギア１３２には、クランクシャフト１３３の一端が一点支持で回動可能に取り付けられ、クランクシャフト１３３の他端には、ピストン保持部１３４およびピストン保持棒１３５を介して圧送ピストン１３６が取り付けられている。
【００７４】
図３の制御部４により与えられる制御信号に基いて、モータ１３０の回転軸が回転すると、モータ１３０の回転軸に取り付けられたギア１３１が矢印Ｒ１の方向に回転し、ギア１３２が矢印Ｒ２の方向に回転する。これにより、圧送ピストン１３６が図中の矢印Ｚの方向に上下運動する。
【００７５】
図６はアンブレラパッキン１３７の動作を説明するための模式図である。例えば、図５の圧送ピストン１３６が、下方向に移動し、ポンプ室１３９ａの容積を増加させた場合、小室Ｓ１の圧力よりもポンプ室１３９ａ内の圧力が低くなるため、小室Ｓ３に設けられたアンブレラパッキン１３７は、図６（ｂ）に示すように変形する。その結果、洗浄水入口ＰＩから供給された洗浄水が、内部流路Ｐ１、小室Ｓ１および小室Ｓ３を介してポンプ室１３９ａに流入する。この場合、小室Ｓ７の圧力よりもポンプ室１３９ａ内の圧力が低くなるため、小室Ｓ７に設けられたアンブレラパッキン１３７は、図６（ａ）に示す状態のまま変形しない。そのため、洗浄水がポンプ室１３９ａ内へ流入したり、逆に洗浄水出口ＰＯより吐出されることもない。
【００７６】
一方、図５の圧送ピストン１３６が、上方向に移動し、ポンプ室１３９ａの容積を減少させた場合、小室Ｓ１の圧力よりもポンプ室１３９ａ内の圧力が高くなるため、小室Ｓ３に設けられたアンブレラパッキン１３７は、図６（ａ）に示す状態のまま変形しない。その結果、小室Ｓ１内の洗浄水が、ポンプ室１３９ａに流入しない。この場合、小室Ｓ７に設けられたアンブレラパッキン１３７は、図６（ｂ）に示すように変形する。そのため、ポンプ室１３９ａ内の洗浄水が、小室Ｓ５、小室Ｓ７および内部流路Ｐ３を介して洗浄水出口ＰＯから吐出される。
【００７７】
なお、小室Ｓ４内に設けられたアンブレラパッキン１３７は、圧送ピストン１３６が上方向に移動した場合に、図６（ｂ）に示すように変形し、圧送ピストン１３６が下方向に移動した場合に、図６（ａ）に示す状態のまま変形しない。一方、小室Ｓ８に設けられたアンブレラパッキン１３７は、圧送ピストン１３６が上方向に移動した場合に、図６（ａ）に示す状態のまま変形せず、圧送ピストン１３６が下方向に移動した場合に、図６（ｂ）に示すように変形する。それにより、ポンプ室１３９ａ内の洗浄水が洗浄水出口ＰＯから吐出されるときに、ポンプ室１３９ｂ内に洗浄水入口ＰＩからの洗浄水が流入し、ポンプ室１３９ａ内に洗浄水入口ＰＩからの洗浄水が流入するときに、ポンプ室１３９ｂ内の洗浄水が洗浄水出口ＰＯから吐出される。
【００７８】
図７は図５のポンプ１３の圧力変化を示す図である。図７の縦軸は圧力を示し、横軸は時間を示す。
【００７９】
図７に示すように、ポンプ１３の洗浄水入口ＰＩに圧力Ｐｉの洗浄水が供給される。この場合、図６の圧送ピストン１３６が上下方向に運動することにより、ポンプ室１３９ａ内の洗浄水の圧力Ｐａは、点線のように変化する。一方、ポンプ室１３９ｂ内の洗浄水の圧力Ｐｂは、破線のように変化する。ポンプ１３の洗浄水出口ＰＯより吐出される洗浄水の圧力Ｐｏｕｔは、太い実線で示すように、圧力Ｐｃを中心として上下に周期的に変化する。
【００８０】
このように、ポンプ１３においては、圧送ピストン１３６が上下運動を行うことにより、ポンプ室１３９ａまたはポンプ室１３９ｂ内の洗浄水に対して交互に圧力が加えられ、洗浄水入口ＰＩの洗浄水が昇圧されて洗浄水出口ＰＯから吐出される。
【００８１】
図８（ａ）は切替弁１４の縦断面図であり、図８（ｂ）は図８（ａ）の切替弁１４のＡ−Ａ線断面図であり、図８（ｃ）は図８（ａ）の切替弁１４のＢ−Ｂ線断面図であり、図８（ｄ）は図８（ａ）の切替弁１４のＣ−Ｃ線断面図である。
【００８２】
図８に示す切替弁１４は、モータ１４１、内筒１４２および外筒１４３により構成される。
【００８３】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【００８４】
図８（ａ），（ｂ），（ｃ），（ｄ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられ、側部の洗浄水出口１４３ｂ，１４３ｃ，１４３ｄと異なる位置に洗浄水出口１４３ｅが設けられている。内筒１４２の互いに異なる位置に孔１４２ｅ，１４２ｆ，１４２ｇが設けられている。孔１４２ｅ，１４２ｆの周辺には、図８（ｂ），（ｃ）に示すように、曲線および直線で構成される面取り部が形成され、孔１４２ｇの周辺には、図８（ｄ）に示すように、直線で構成される面取り部が形成されている。
【００８５】
内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっており、孔１４２ｇが外筒１４３の洗浄水出口１４３ｅと対向可能になっている。
【００８６】
洗浄水入口１４３ａには、図３の配管２０３が接続され、洗浄水出口１４３ｂには、ビデノズル２が接続され、洗浄水出口１４３ｃには、おしりノズル１の第１の流路が接続され、洗浄水出口１４３ｄには、おしりノズルの第２の流路が接続され、洗浄水出口１４３ｅには、ノズル洗浄用ノズル３が接続されている。
【００８７】
図９は図８の切替弁１４の動作を示す断面図である。
【００８８】
図９（ａ）〜（ｆ）は切替弁１４のモータ１４１がそれぞれ０度、９０度、１３５度、１８０度、２２５度および２７０度回転した状態を示す。
【００８９】
まず、図９（ａ）に示すように、モータ１４１を回転させない（０度）場合には、内筒１４２の孔１４２ｅの周囲の面取り部が外筒１４３の洗浄水出口１４３ｂに対向する。したがって、洗浄水が洗浄水入口１４３ａより内筒１４２の内部を通過して、矢印Ｗ１で示すように洗浄水出口１４３ｂから流出する。
【００９０】
次に、図９（ｂ）に示すように、モータ１４１が内筒１４２を９０度回転させた場合には、内筒１４２の孔１４２ｇの周囲の面取り部が外筒１４３の洗浄水出口１４３ｅに対向する。したがって、洗浄水が洗浄水入口１４３ａより内筒１４２の内部を通過して、矢印Ｗ２で示すように洗浄水出口１４３ｅから流出する。
【００９１】
次いで、図９（ｃ）に示すように、モータ１４１が内筒１４２を１３５度回転させた場合には、内筒１４２の孔１４２ｇの周囲の面取り部の一部が外筒１４３の洗浄水出口１４３ｅに対向するとともに、内筒１４２の孔１４２ｅの周囲の面取り部の一部が外筒１４３の洗浄水出口１４３ｃに対向する。したがって、少量の洗浄水が洗浄水入口１４３ａより内筒１４２の内部を通過して、矢印Ｗ２および矢印Ｗ３で示すように洗浄水出口１４３ｃ，１４３ｅから流出する。
【００９２】
次に、図９（ｄ）に示すように、モータ１４１が内筒１４２を１８０度回転させた場合には、内筒１４２の孔１４２ｅの周囲の面取り部が外筒１４３の洗浄水出口１４３ｃに対向する。したがって、洗浄水が洗浄水入口１４３ａより内筒１４２の内部を通過して、矢印Ｗ３で示すように洗浄水出口１４３ｃから流出する。
【００９３】
次に、図９（ｅ）に示すように、モータ１４１が内筒１４２を２２５度回転させた場合には、内筒１４２の孔１４２ｅの周囲の面取り部の一部が外筒１４３の洗浄水出口１４３ｃに対向するとともに、内筒１４２の孔１４２ｆの周囲の面取り部の一部が外筒１４３の洗浄水出口１４３ｄに対向する。したがって、少量の洗浄水が洗浄水入口１４３ａより内筒１４２の内部を通過して、矢印Ｗ３および矢印Ｗ４で示すように洗浄水出口１４３ｃ，１４３ｄから流出する。
【００９４】
また、図９（ｆ）に示すように、モータ１４１が内筒１４２を２７０度回転させた場合には、内筒１４２の孔１４２ｆの周囲の面取り部が外筒１４３の洗浄水出口１４３ｄに対向する。したがって、洗浄水が洗浄水入口１４３ａより内筒１４２の内部を通過して、矢印Ｗ４で示すように洗浄水出口１４３ｄから流出する。
【００９５】
以上のように、制御部４からの制御信号に基いてモータ１４１が回転することにより内筒１４２の孔１４２ｅ，１４２ｆ，１４２ｇのいずれかが外筒１４３の洗浄水出口１４３ｂ〜１４３ｅに対向し、洗浄水入口１４３ａから流入した洗浄水が洗浄水出口１４３ｂ〜１４３ｅのいずれかから流出する。
【００９６】
図１０は図９の切替弁１４の洗浄水出口１４３ｃ，１４３ｄから流出する洗浄水の流量を示す図である。図１０の横軸はモータ１４１の回転角度を示し、縦軸は洗浄水出口１４３ｃ，１４３ｄを流れる洗浄水の流量を示す。また、一点鎖線Ｑ１が洗浄水出口１４３ｃから流出する洗浄水の流量の変化を示し、実線Ｑ２が洗浄水出口１４３ｄから流出する洗浄水の流量の変化を示す。
【００９７】
例えば、図１０に示すように、モータ１４１が１８０度回転した場合、洗浄水出口１４３ｃから流出する洗浄水の流量は最大値を示し、洗浄水出口１４３ｄから洗浄水は流出しない。モータ１４１の回転角度が大きくなるとともに洗浄水出口１４３ｃから流出する洗浄水の流量が減少し、洗浄水出口１４３ｄから流出する洗浄水の流量が増加する。そして、モータ１４１が２７０度回転した場合、洗浄水出口１４３ｃから洗浄水は流出せず、洗浄水出口１４３ｄから流出する洗浄水の流量は最大値を示す。
【００９８】
以上のように、制御部４が切替弁１４のモータ１４１の回転角度を制御することにより洗浄水出口１４３ｃ，１４３ｄから流出する洗浄水の流量比を制御することができる。
【００９９】
次に、図３のノズル部３０のおしりノズル１について説明する。図１１は図３のおしりノズル１および切替弁１４の模式的断面図である。図３のノズル部３０のビデノズル２の構成および動作は図１１のおしりノズル１と同様である。なお、図１１においては、ビデノズル２およびノズル洗浄用ノズル３は図示していない。
【０１００】
図１１に示すように、おしりノズル１は、円筒状のピストン部２０、円筒状のシリンダ部２１、シールパッキン２２ａ，２２ｂおよびスプリング２３により構成される。
【０１０１】
ピストン部２０の先端近傍には、洗浄水を噴出するための噴出孔２５が形成されている。ピストン部２０の後端には、フランジ形状のストッパ部２６ａ，２６ｂが設けられている。また、ストッパ部２６ａ，２６ｂには、それぞれシールパッキン２２ａ，２２ｂが装着されている。ピストン部２０の内部には、後端面から噴出孔２５に連通する第１の流路２７ａが形成され、ストッパ部２６ａとストッパ部２６ｂとの間におけるピストン部２０の周面から噴出孔２５に連通する第２の流路２７ｂが形成されている。また、噴出孔２５の周囲には、円筒状渦室２９が形成されており、第１の流路２７ａと円筒状渦室２９との間には、縮流部３１が介挿されている。このピストン部２０の先端部の構造の詳細については後述する。
【０１０２】
一方、シリンダ部２１は、先端側の径小部分と中間の径を有する中間部分と後端側の径大部分とからなる。それにより、径小部分と中間部分との間に、ピストン部２０のストッパ部２６ａがシールパッキン２２ａを介して当接可能なストッパ面２１ｃが形成され、中間部分と径大部分との間に、ピストン部２０のストッパ部２６ｂがシールパッキン２２ｂを介して当接可能なストッパ面２１ｂが形成されている。シリンダ部２１の後端面には、洗浄水入口２４ａが設けられ、シリンダ部２１の中間部分の周面には、洗浄水入口２４ｂが設けられ、シリンダ部２１の先端面には、開口部２１ａが設けられている。シリンダ部２１の内部空間が温度変動緩衝部２８となる。洗浄水入口２４ａは、シリンダ部２１の中心軸とは異なる位置に偏心して設けられている。洗浄水入口２４ａは、図８の切替弁１４の洗浄水出口１４３ｃに接続され、洗浄水入口２４ｂは、図８の切替弁１４の洗浄水出口１４３ｄに接続されている。ピストン部２０がシリンダ部２１より最も突出した場合に、洗浄水入口２４ｂは、第２の流路２７ｂと連通する。この洗浄水入口２４ｂが第２の流路２７ｂと接続する詳細については後述する。
【０１０３】
ピストン部２０は、ストッパ部２６ｂが温度変動緩衝部２８内に位置し、先端部が開口部２１ａから突出するように、シリンダ部２１内に移動可能に挿入されている。
【０１０４】
さらに、スプリング２３は、ピストン部２０のストッパ部２６ａとシリンダ部２１の開口部２１ａの周縁との間に配設されており、ピストン部２０をシリンダ部２１の後端側に付勢する。
【０１０５】
ピストン部２０のストッパ部２６ａ，２６ｂの外周面とシリンダ部２１の内周面との間に微小隙間が形成され、ピストン部２０の外周面とシリンダ部２１の開口部２１ａの内周面との間に微小隙間が形成されている。
【０１０６】
また、おしりノズル１は、保持台２９１上に固定される。おしりノズル１の保持台２９１の一端には、ギア２９２が設けられており、ギア２９２は、進退用モータ１５の回転軸に固定されたギア２９３と噛合う。進退用モータ１５が、制御部４からの制御信号に応じて矢印Ｙの方向および矢印Ｙと逆方向に回転することにより、進退用モータ１５の回転軸に固定されたギア２９３が回転し、ノズル保持台２９１の一端に設けられたギア２９２と噛合って、ノズル保持台２９１が矢印Ｘの方向およびその逆方向に移動される。それにより、おしりノズル１が噴出孔２５より洗浄水を噴出しつつ進退動作を行う。
【０１０７】
これにより、広範囲な被洗浄面の洗浄が可能となるとともに、マッサージ効果を得ることができる。
【０１０８】
次いで、図１１のおしりノズル１の動作について説明する。図１２は図１１のおしりノズル１の動作を説明するための断面図である。
【０１０９】
まず、図１２（ａ）に示すように、シリンダ部２１の洗浄水入口２４ａ，２４ｂより洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【０１１０】
次いで、図１２（ｂ）に示すように、シリンダ部２１の洗浄水入口２４ａより洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１１１】
洗浄水入口２４ａがシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６ａ，２６ｂの外周面とシリンダ部２１の内周面との間の微小隙間を通して、ピストン部２０の外周面とシリンダ部２１の開口部２１ａの内周面との間の微小隙間から流れ出るとともに、ピストン部２０の第１の流路２７ａを通して円筒状渦室２９に供給され、噴出孔２５からわずかに噴出される。円筒状渦室２９の詳細については後述する。
【０１１２】
ピストン部２０がさらに前進すると、図１２（ｃ）に示すように、ストッパ部２６ａ，２６ｂがシールパッキン２２ａ，２２ｂを介してシリンダ部２１のストッパ面２１ｃ，２１ｂに水密に接触する。それにより、ピストン部２０のストッパ部２６ａ，２６ｂの外周面とシリンダ部２１の内周面との間の微小隙間からピストン部２０の外周面とシリンダ部２１の開口部２１ａの内周面との間の微小隙間に至る流路が遮断される。さらに、洗浄水入口２４ｂより供給された洗浄水が、ピストン部２０の第２の流路２７ｂを通して円筒状渦室２９に供給される。それにより、ピストン部２０の第２の流路２７ｂを通して円筒状渦室２９に供給された洗浄水は、ピストン部２０の第１の流路２７ａを通して供給された洗浄水と混合され、噴出孔２５から噴出される。
【０１１３】
このように、切替弁１４の洗浄水出口１４３ｃ，１４３ｄより供給された洗浄水が、シリンダ部２１の洗浄水入口２４ａ，２４ｂを介してピストン部２０内の第１の流路２７ａおよび第２の流路２７ｂを通して円筒状渦室２９に導かれ、円筒状渦室２９を通して噴出孔２５から噴出される。
【０１１４】
次いで、図１３は図１１のピストン部２０の先端部の模式図である。図１３（ａ）はピストン部２０の先端部を上面から見た場合を示し、図１３（ｂ）はピストン部２０の先端部を側面から見た場合を示す。
【０１１５】
まず、図１３（ｂ）に示すように、第１の流路２７ａは、円筒状の円筒状渦室２９の周面に接続され、第２の流路２７ｂは円筒状渦室２９の底面に接続されている。切替弁１４の洗浄水出口１４３ｃ，１４３ｄからの洗浄水が第１の流路２７ａおよび第２の流路２７ｂに供給される。
【０１１６】
図１３（ａ）に示すように、第１の流路２７ａより円筒状渦室２９に供給された洗浄水は、円筒状渦室２９の内周面の曲面形状により矢印Ｚに示す渦巻状態で流動する。一方、第２の流路２７ｂより円筒状渦室２９に供給された洗浄水は、垂直上方向に直線状態で流動する。
【０１１７】
このように、円筒状渦室２９において第１の流路２７ａの渦巻状態の洗浄水と第２の流路２７ｂの直線状の洗浄水とが混合され、噴出孔２５より洗浄水が噴出される。
【０１１８】
例えば、第１の流路２７ａより供給される洗浄水の流量が第２の流路２７ｂより供給される洗浄の流量よりも多い場合、円筒状渦室２９において混合される洗浄水は、円筒状の円筒状渦室２９の曲面形状による渦巻状態を強く維持するため、図１３（ｂ）に示す矢印Ｈの広い角度で分散旋回流として噴出される。使用者により噴出形態分散調整スイッチ３０２ｆが押下操作されると、上記のように洗浄水は分散旋回流として噴出される。
【０１１９】
一方、第２の流路２７ｂより供給される洗浄水の流量が第１の流路２７ａより供給される洗浄水の流量よりも多い場合、円筒状渦室２９において混合される洗浄水は、直線状態を強く維持するため、図１３（ｂ）に示す矢印Ｓの狭い角度で直線流として噴出される。使用者により噴出形態集中調整スイッチ３０２ｅが押下操作されると、上記のように洗浄水は直線流として噴出される。
【０１２０】
したがって、制御部４が切替弁１４のモータ１４１を制御して洗浄水出口１４３ｃ，１４３ｄの流量比を変化させることにより、噴出孔２５より噴出される洗浄水の噴出形態が変化する。
【０１２１】
本実施例では、水勢調整スイッチ３０２ａを押下すると、洗浄水出口１４３ｃの流量が洗浄水出口１４３ｄの流量よりも大きくなり、洗浄水の噴出形態が直線流に近づく。また、水勢調整スイッチ３０２ｂを押下すると、洗浄水出口１４３ｄの流量が洗浄水出口１４３ｃの流量よりも大きくなり、洗浄水の噴出形態が分散旋回流に近づく。
【０１２２】
次に、本実施例に係る洗浄水の噴出形態について説明する。本実施例においては、モータ１５によりおしりノズル１が前方位置と後方位置との間を移動しながら、種々の噴出形態で洗浄水を噴出する。
【０１２３】
図１４は本実施例に係る洗浄水の噴出形態の第１の例を示す概略図である。図１４（ａ）は時間経過に伴う洗浄水の噴出形態の変化およびおしりノズル１の位置の変化を示す概略図であり、図１４（ｂ）は図１４（ａ）に示す噴出形態の変化を擬似的に示す平面図である。なお、図１４に示す洗浄水の噴出形態は、使用者によりモードスイッチ３１０が押下操作されることにより実行される。
【０１２４】
図１４（ａ）の横軸は時間を示し、縦軸は洗浄水の噴出形態および洗浄水の噴出と同時に移動するおしりノズル１の位置を示す。
【０１２５】
まず、おしりノズル１が前方位置から後方位置に向かって移動を開始するとともに、噴出孔２５から分散旋回流が噴出される。その後、分散旋回流の広がり角度が徐々に小さくなり直線流が噴出される。さらに、直線流から分散旋回流の広がり角度が徐々に大きくなる。おしりノズル１が後方位置に移動するまでの間、分散旋回流と直線流とが交互に切り替わる。
【０１２６】
また、おしりノズル１が後方位置に移動した後、おしりノズル１は、折り返し前方位置に移動し始める。この場合においても、おしりノズル１が前方位置に移動するまでの間、分散旋回流と直線流とが交互に切り替わる。
【０１２７】
この場合、図１４（ｂ）に示すように、人体の局部に噴出される洗浄水の洗浄範囲は、分散旋回流によって形成されるドットパターンの円の移動範囲となり、分散旋回流の移動範囲内に、直線流によるハッチングの直線状の洗浄範囲が形成される。
【０１２８】
それにより、洗浄水の密度が低い洗浄範囲の中央部にも直線流により洗浄水の密度が高い範囲が形成される。これにより、人体の局部の広範囲を十分に洗浄することができる。
【０１２９】
また、水勢を有する直線流により人体の局部周辺に飛散した洗浄水を分散旋回流によって洗い流すことができる。これにより、人体の局部がより清潔に保たれる。
【０１３０】
なお、本実施例においては、前方位置および後方位置での洗浄水の噴出形態は分散旋回流としたが、これに限定されるものではなく、直線流であってもよい。
【０１３１】
図１５は本実施例に係る洗浄水の噴出形態の第２の例を示す概略図である。図１５（ａ）は時間経過に伴う洗浄水の噴出形態の変化およびおしりノズル１の位置の変化を示す概略図であり、図１５（ｂ）は図１５（ａ）に示す噴出形態の変化を擬似的に示す平面図である。なお、図１５に示す洗浄水の噴出形態は、使用者によりモードスイッチ３１１が押下操作されることにより実行される。
【０１３２】
図１５（ａ）の横軸は時間を示し、縦軸は洗浄水の噴出形態および洗浄水の噴出と同時に移動するおしりノズル１の位置を示す。
【０１３３】
まず、おしりノズル１が前方位置にて所定時間停止した状態で、噴出孔２５から直線流が噴出される。その後、モータ１５によりおしりノズル１が前方位置から後方位置に向かって移動するとともに、直線流から分散旋回流の広がり角度が徐々に大きくなる。
【０１３４】
おしりノズル１が後方位置に移動すると、分散旋回流の広がり角度が最大となり、おしりノズル１が後方位置にて所定時間停止した状態で、噴出孔２５から分散旋回流が噴出される。
【０１３５】
この場合、図１５（ｂ）に示すように、人体の局部に噴出される洗浄水の洗浄範囲は、直線流による円形の洗浄範囲が分散旋回流の広がり角度の増加とともに徐々に拡大する。それにより、人体の局部の広範囲を十分に洗浄することができる。また、女性の小用時において、女性の局部が効果的に洗浄されることが期待される。
【０１３６】
図１６は本実施例に係る洗浄水の噴出形態の第３の例を示す概略図である。図１６（ａ）は時間経過に伴う洗浄水の噴出形態の変化およびおしりノズル１の位置の変化を示す概略図であり、図１６（ｂ）は図１６（ａ）に示す噴出形態の変化を擬似的に示す平面図である。なお、図１６に示す洗浄水の噴出形態は、使用者によりモードスイッチ３１２が押下操作されることにより実行される。
【０１３７】
図１６（ａ）の横軸は時間を示し、縦軸は洗浄水の噴出形態および洗浄水の噴出と同時に移動するおしりノズル１の位置を示す。
【０１３８】
まず、前方位置にておしりノズル１が所定時間停止した状態で図１４の例と同様に、分散旋回流と直線流とが交互に噴出孔２５から噴出される。
【０１３９】
さらに、分散旋回流と直線流とが交互に噴出孔２５から噴出されつつおしりノズル１が前方位置から後方位置に向かって移動し始める。
【０１４０】
この後、おしりノズル１が後方位置に達するよりも前に、噴出孔２５から噴出される洗浄水は直線流となる。
【０１４１】
おしりノズル１が後方位置に達した後、おしりノズル１が停止した状態で所定時間直線流が噴出される。
【０１４２】
この場合、図１６（ｂ）に示すように、人体の局部に噴出される洗浄水の洗浄範囲は、分散旋回流によって形成されるドットパターンの円の移動範囲となり、分散旋回流の移動範囲内に、直線流によるハッチングの直線状の洗浄範囲が形成される。それに加えて、分散旋回流によって形成される洗浄範囲が徐々に縮小し、直線流による洗浄範囲が形成される。
【０１４３】
それにより、人体の局部の広範囲を十分に洗浄することができる。また、女性の局部を洗浄するためのビデとしての洗浄効果が期待される。
【０１４４】
図１７は本実施例に係る洗浄水の噴出形態の第４の例を示す概略図である。図１７（ａ）は時間経過に伴う洗浄水の噴出形態の変化およびおしりノズル１の位置の変化を示す概略図であり、図１７（ｂ）は図１７（ａ）に示す噴出形態の変化を擬似的に示す平面図である。なお、図１７に示す洗浄水の噴出形態は、使用者によりモードスイッチ３１３が押下操作されることにより実行される。
【０１４５】
図１７（ａ）の横軸は時間を示し、縦軸は洗浄水の噴出形態および洗浄水の噴出と同時に移動するおしりノズル１の位置を示す。
【０１４６】
まず、ノズル１が前方位置から後方位置に向かって移動しながら噴出孔２５から分散旋回流が噴出され、おしりノズル１が後方位置に達すると同時に、瞬時に分散旋回流から直線流に切り替えられる。
【０１４７】
続いて、おしりノズル１が前方位置に向かって移動しながら噴出孔２５から直線流が噴出され、おしりノズル１が前方位置に達すると同時に、瞬時に直線流から分散旋回流に切り替えられる。以後、この動作が所定時間繰り返される。
【０１４８】
この場合、図１７（ｂ）に示すように、前方位置から後方位置へのおしりノズル１の移動時には、人体の局部に噴出される洗浄水の洗浄範囲は、分散旋回流によって形成されるドットパターンの円の移動範囲となる。また、後方位置から前方位置へのおしりノズル１の移動時には、人体の局部に噴出される洗浄水の洗浄範囲は、直線流によって形成されるハッチングの直線状の範囲となる。
【０１４９】
それにより、人体の局部の広範囲を十分に洗浄することができる。また、軟便時や小児の漏らし便を効果的に洗浄することが期待される。
【０１５０】
以上に示す本実施例においては、ポンプ１３が加圧手段に相当し、切替弁１４が広がり角度調整手段および流量調整手段に相当し、おしりノズル１、ビデノズル２およびノズル洗浄ノズル３がノズル装置に相当し、第１の流路２７ａが第１の流路に相当し、第２の流路２７ｂが第２の流路に相当し、円筒状渦室２９が回転流生成手段に相当し、熱交換器１１が加熱手段および瞬間式加熱装置に相当し、進退用モータ１５が進退駆動手段に相当し、遠隔操作装置３００が設定手段に相当し、制御部４が制御手段に相当する。
【０１５１】
なお、図１４〜図１７に示した洗浄水の噴出形態は例であり、これらになんら限定されるものではなく、洗浄水の噴出形態の要旨を変更しない限り、適宜他の効果的な洗浄のための洗浄水の噴出形態の変化およびおしりノズル１の移動方法を任意に設定することができる。
【０１５２】
また、水勢強調整スイッチ３０２ａまたは水勢弱調整スイッチ３０２ｂの押下操作により、噴出孔２５から噴出される洗浄水の水圧も変化させることができるので、より使用者の好みや体調等に応じた洗浄を行うことができる。
【０１５３】
また、分散旋回流および直線流の噴出時間およびおしりノズル１の移動速度は適宜設定することができる。
【産業上の利用可能性】
【０１５４】
本発明は、人体の局部を洗浄するための衛生洗浄装置等として有用である。
【図面の簡単な説明】
【０１５５】
【図１】本実施例に係る衛生洗浄装置を便器に装着した状態を示す斜視図
【図２】図１の遠隔操作装置の一例を示す模式図
【図３】本実施例に係る衛生洗浄装置の本体部の構成を示す模式図
【図４】熱交換器の構造の一例を示す一部切り欠き断面図
【図５】ポンプの構造の一例を示す断面図
【図６】アンブレラパッキンの動作を説明するための模式図
【図７】図５のポンプの圧力変化を示す図
【図８】（ａ）は切替弁の縦断面図であり、（ｂ）は（ａ）の切替弁のＡ−Ａ線断面図であり、（ｃ）は（ａ）の切替弁のＢ−Ｂ線断面図であり、（ｄ）は（ａ）の切替弁のＣ−Ｃ線断面図
【図９】図８の切替弁の動作を示す断面図
【図１０】図９の切替弁の洗浄水出口から流出する洗浄水の流量を示す図
【図１１】図３のおしりノズル１および切替弁１４の模式的断面図
【図１２】図１１のおしりノズルの動作を説明するための断面図
【図１３】図１１のピストン部の先端部の模式図
【図１４】本実施例に係る洗浄水の噴出形態の第１の例を示す概略図
【図１５】本実施例に係る洗浄水の噴出形態の第２の例を示す概略図
【図１６】本実施例に係る洗浄水の噴出形態の第３の例を示す概略図
【図１７】本実施例に係る洗浄水の噴出形態の第４の例を示す概略図
【符号の説明】
【０１５６】
１  おしりノズル
４  制御部
１１  熱交換器
１３  ポンプ
１４  切替弁
１５  進退用モータ
２５  噴出孔
２７ａ，２７ｂ  流路
２９  円筒状渦室
３０  ノズル部
２００  本体部
３００  遠隔操作装置
３１０，３１１，３１２，３１３  モードスイッチ
５０５  セラミックヒータ
【図１】
2005042429.tif 000003
【図２】
2005042429.tif 000004
【図３】
2005042429.tif 000005
【図４】
2005042429.tif 000006
【図５】
2005042429.tif 000007
【図６】
2005042429.tif 000008
【図７】
2005042429.tif 000009
【図８】
2005042429.tif 000010
【図９】
2005042429.tif 000011
【図１０】
2005042429.tif 000012
【図１１】
2005042429.tif 000013
【図１２】
2005042429.tif 000014
【図１３】
2005042429.tif 000015
【図１４】
2005042429.tif 000016
【図１５】
2005042429.tif 000017
【図１６】
2005042429.tif 000018
【図１７】
2005042429.tif 000019